(57)【要約】      （修正有）【課題】会話のし易さを安価に実現できる飛沫感染防止シートを提供する。【解決手段】飛沫感染防止シートは、顔の口近傍に一つ又は複数の第一開口部１７を有する基本シート１８と、基本シート１８と所定間隔にて口近傍に配置される一枚又は複数枚の外部シート２０と、基本シート１８及び外部シート２０との所定間隔を確保するスペーサ手段１０とを備え、基本シート１８の面に外部シート２０全部を投影した時、外部シート２０の投影面が、第一開口部１７を包含している。【選択図】図８
0003232280.tif 000002
【実用新案登録請求の範囲】
【請求項１】
顔の口近傍に一つ又は複数の第一開口部を有する基本シートと、該基本シートと所定間隔にて前記口近傍に配置される一枚又は複数枚の外部シートと、前記基本シート及び前記外部シートとの前記所定間隔を確保するスペーサ手段とを備え、前記基本シートの面に前記外部シート全部を投影した時、前記外部シートの投影面が、前記第一開口部を包含していることを特徴とした飛沫感染防止シート。
【請求項２】
前記請求項１において、前記外部シートのうち少なくとも一枚は、開口部の無いシートであり、他のシートは一つ又は複数の第二開口部を有することを特徴とした飛沫感染防止シート。
【請求項３】
前記請求項１において、前記外部シートの全部が、一つ又は複数の第三開口部を有することを特徴とした飛沫感染防止シート。
【請求項４】
前記請求項２又は前記請求項３において、前記基本シート又は前記外部シートに取付けられる、所定高さの筒状手段又は前記所定高さで遠方ほど径の大きくなるラッパ型手段を備えたことを特徴とした飛沫感染防止シート。
【考案の詳細な説明】
【技術分野】
【０００１】  本考案は、フェイスシールドやフェイスガード、口元付近だけを覆うマウスガードやアクリル板によるパーティションなどに使用される飛沫感染防止シートに係り、特に会話のし易さを安価に実現した飛沫感染防止シートに関する。
【背景技術】
【０００２】  従来、フェイスシールドやフェイスガードは、医療従事者の他、顔の表情が見えるほうが望ましい場面で、飛沫による感染症を防止するために用いられ、口、鼻、目などを含む顔の全面を覆うフィルム状の透明なシートを有しており、これによって飛沫などの飛散物から顔を保護し、口や鼻、目などからの感染を防止している。【０００３】  しかし、顔の全面をシートで覆うために、声がシート内にこもり、会話やコミュニケーションが取りにくいという課題があり、これを改善する方法として、特許文献１に示すように、フェイスガード内側にマイクを設け、またヘッドホンにより相手の声を聴くという提案がなされている。
【先行技術文献】
【特許文献】
【０００４】
【特許文献１】実願２０２０−２０２０（実用新案登録第３２２７４６１号）
【考案の概要】
【考案が解決しようとする課題】
【０００５】  特許文献１によれば、［０００７］の５行目「固定バンドによって装着者の両耳又は片耳に相当する位置に支持された音響出力手段と、固定バンドに接続されたアーム部と、アーム部によって装着者の口の近傍に臨まれて支持された音響入力手段とを備える。」が必要であり、実際には［図５］及び［図７］に記載されているように、スピーカ８４やディスプレイ８７を有し、又音響入力手段（マイク６）と音響出力手段（ヘッドフォン５）の音声処理を行う端末装置８も必要であり、非常に高価で装着にも時間を要するという課題がある。
【課題を解決するための手段】
【０００６】  顔の口近傍に一つ又は複数の第一開口部を有する基本シートと、基本シートと所定間隔にて口近傍に配置される一枚又は複数枚の外部シートと、基本シート及び外部シートとの所定間隔を確保するスペーサ手段とを備え、基本シートの面に外部シート全部を投影した時、外部シートの投影面が、第一開口部を包含していることを特徴とした飛沫感染防止シートにより課題を解決することができる。【０００７】  又、外部シートのうち少なくとも一枚は、開口部の無いシートであり、他のシートは一つ又は複数の第二開口部を有することを特徴とした飛沫感染防止シートにより課題を解決することができる。【０００８】  又、外部シートの全部が、一つ又は複数の第三開口部を有することを特徴とした飛沫感染防止シートにより課題を解決することができる。【０００９】  更に基本シート又は外部シートに取付けられる、所定高さの筒状手段又は所定高さで遠方ほど径の大きくなるラッパ型手段を備えたことを特徴とした飛沫感染防止シートにより課題を解決することができる。
【考案の効果】
【００１０】  本考案によれば、基本シートの面に外部シート全部を投影した時、外部シートの投影面が、第一開口部を包含するように構成することにより、外部にいる他人の発声に伴う飛沫及び装着者本人の発声に伴う飛沫を遮ることができる。【００１１】  一方、装着者本人の音声は、基本シートの第一開口部及びスペーサによる所定間隔の隙間空間及び外部シートそれぞれの第二開口部又は第三開口部を通過することができ、会話やコミュニケーションを十分に行うことができる。【００１２】  又、基本シート又は外部シートに筒状手段やラッパ型手段を備えることにより、音声が増幅され、より会話やコミュニケーションが容易になる。【００１３】  従って前述の特許文献１に対して、簡単な構造で、非常に安価なフェイスシールドやフェイスガード、マウスシールドやパーティションを提供することができ、使い方も従来と変わらず容易であるという効果がある。【００１４】  具体的には、本考案の飛沫感染防止シートを使用したフェイスシールドやフェイスガード装着者が、カラオケなどで歌を歌った場合、装着者から発する飛沫発散は遮断され、一方で音声は、スペーサによる所定間隔の隙間空間及び各開口部を介して伝達されるので、飛沫感染を防止しながら安全に複数人でのカラオケを楽しむことができる。【００１５】  又、本考案の飛沫感染防止シートを使用したフェイスシールドやフェイスガードは、劇場での演劇出演者などが声を発する場面にも使用可能である。【００１６】  更にスポーツ観戦などでは、ラッパ型手段を取り付けた本考案によるフェイスシールドやフェイスガードを使用することにより、より大きな声援を、飛沫を防止しながら行うことができるようになる。
【図面の簡単な説明】
【００１７】
【図１】本考案の第一の実施例１（正面図及び側面図）
【図２】本考案の第一の実施例２（正面図及び側面図）
【図３】本考案の第一の実施例３（正面図及び側面図）
【図４】本考案の第一の実施例４（正面図及び側面図）
【図５】本考案の第一の実施例４を使用したフェイスガード装着例
【図６】本考案の第二の実施例１（正面図及び側面図）
【図７】本考案の第二の実施例２（正面図及び側面図）
【図８】本考案の第二の実施例３（正面図及び側面図）
【図９】本考案の第二の実施例４（正面図及び側面図）
【図１０】本考案の第二の実施例１又は２又は３を使用したフェイスガード装着例
【図１１】本考案の第三の実施例１（正面図及び側面図）
【図１２】本考案の第三の実施例２（正面図及び側面図）
【図１３】本考案の第四の実施例（正面図及び側面図）
【考案を実施するための形態】
【００１８】  以下、添付図面を参照しながら、本考案を実施するための形態を説明する。
【実施例１】
【００１９】  第一の実施例１を、図１の正面図及び側面図を参照しながら説明する。図１において顔全体をガードする基本となる透明のフェイスシート１は、顔の口近傍に円形の開口部２を有しており、第一シート３は、フェイスシート１の開口部２を包含する大きさであり、４個のスペーサ４により、フェイスシート１と所定間隔（例えば４ｍｍ程度）にてフェイスシート１の外部に配置されている。第一シート３が開口部２をオーバーラップして包含する幅は、例えば前記所定間隔である４ｍｍ以上が望ましい。【００２０】  以下、第一の実施例１の形態を詳細に説明する。図１の側面図における右側が、装着者の顔が面する側であり、口近傍の開口部２へ、装着者の発する音声が飛沫と共に侵入する。飛沫は、開口部２の正面にある第一シート３に衝突してその表面に付着するが、音声は、フェイスシート１と第一シート３との所定間隔の隙間空間を介して、フェイスシート１の反対側（図１の側面図における左側）に到達する。従って外部にいる人との会話やコミュニケーションが容易になるのである。【００２１】  一方、外部にいる人が、音声を発すると飛沫を伴うが、その飛沫は、フェイスシート１及び第一シート３の外側の面（図１の側面図における左側）に衝突して付着するため、装着者の顔を飛沫から守ることができるのである。【００２２】  図１の正面図からわかるようにフェイスシート１の面への第一シート３の投影面（実線）が、開口部２（点線）を包含している構造となっている。【００２３】  尚、スペーサ４は、高さが均一である必然性はなく（図示せず）、装着者の音声が通過できるフェイスシート１と第一シート３との隙間空間が確保されていればよい。【００２４】  次に第一の実施例２を、図２の正面図及び側面図を参照しながら説明する。図２において図１と同一手段には、同一符号を付しており、以後の図においても同様である。同図において図１と異なる手段は、フェイスシート１の外部に設けられた開口部５を有する第二シート６及びスペーサ７であり、第一シート３とフェイスシート１の間に追加されている。【００２５】  以下、第一の実施例２の形態を詳細に説明する。第二シート６及びスペーサ７が追加されていることによって、装着者の発する音声は、開口部２及び開口部５に侵入し、フェイスシート１と第一シート３との所定間隔及び第一シート３と第二シート６との所定間隔の両隙間空間を介してフェイスシート１の反対側（図２の側面図における左側）まで到達し、図１に比較して、より大きな音声が外部にいる人に伝達されることになり、会話やコミュニケーションがより容易になる。【００２６】  一方、装着者の発する音声に伴う飛沫及び外部にいる人が発する飛沫は、前述の第一の実施例１と同様に遮られる。【００２７】  図示していないが、フェイスシート１の外部に、開口部を有する第三シートとスペーサをペアとして追加設置すれば、フェイスシート１及び第一シート及び第二シート及び第三シートの所定間隔による隙間空間が多くなり更に音声が伝わり易くなるのは、明白である。又、各スペーサによる各シートとの所定間隔は、同一あるいは平行である必然性はない（他の実施例でも同様）。【００２８】  図２の正面図からわかるようにフ���イスシート１の面への第一シート３及び第二シート６の投影面（実線）が、開口部２（一点鎖線）を包含している構造となっている。【００２９】  次に第一の実施例３を、図３の正面図及び側面図を参照しながら説明する。同図において図２と異なる手段は、第二シート６−１の開口部５−１の直径が、フェイスシート１の開口部２より小さくなっており、第一シート３−１は、開口部５−１を包含していることである。【００３０】  以下、第一の実施例３の形態を詳細に説明する。装着者の発する音声は、開口部２及び開口部５―１に侵入し、フェイスシート１と第二シート６−１との所定間隔及び第一シート３−１と第二シート６−１との所定間隔の両空間を介してフェイスシート１の反対側（図３の側面図における左側）まで到達し、より大きな音声が外部にいる人に伝わることになり、会話やコミュニケーションがより容易になる。【００３１】  一方、装着者の発する音声に伴う飛沫は、第一シート３−１及び第二シート６−１により遮られ、フェイスシート１の外側（図３の側面図における左側）に到達することはない。又、外部にいる人が発する飛沫は、フェイスシート１及び第一シート３−１及び第二シート６−１の面に衝突するため装着者に到達することはなく、装着者の顔を飛沫から守ることができるのである。【００３２】  図３の正面図からわかるようにフェイスシート１の面への第一シート３−１の投影面（実線）が第二シート６−１の開口部５−１を包含し、第二シート６−１の投影面（実線から一点鎖線まで）がフェイスシート１の開口部２（点線）を包含しており、結果的に第一シート３−１及び第二シート６−１を合わせた投影面が、フェイスシート１の開口部２（点線）を包含する構造となっている。【００３３】  次に第一の実施例４を、図４の正面図及び側面図を参照しながら説明する。同図において図２と異なる手段は、フェイスシート１に対し垂直方向に取り付けられた円筒８を備えたことである。円筒８は、第一シート３及び第二シート６の縁を所定間隔（例えば４ｍｍ以上）で囲んでおり、その高さは、第一シート３の高さ以上が望ましい。【００３４】  この円筒８を設けることにより、外部にいる人が発する飛沫が、第一シート３及び第二シート６の側面から侵入するのを防止することができ、より飛沫感染防止効果の高いフェイスガードやフェイスシールドを提供できるという効果がある。【００３５】  又、装着者の発する飛沫は、開口部２と開口部５に侵入して、大粒の飛沫は、第一シート３に衝突してその表面に付着するが、細かい飛沫は、スペーサ４とスペーサ７によるフェイスシート１、第二シート６と第一シート３との隙間空間から外部に放出される可能性がある。しかし直ぐに円筒８の壁が存在するために、細かい飛沫は、その壁に衝突して付着することになる。従って装着者の発する飛沫が、より効果的に防止できるのである。【００３６】  一方装着者の発する音声は、飛沫同様、開口部２と開口部５に侵入して、スペーサ４とスペーサ７によるフェイスシート１、第二シート６と第一シート３との隙間空間から外部に伝達され、その後円筒８の壁に当たってフェイスシート１の前方（図４の側面図の左側）に伝達されることになり、より音声が伝わり易いという効果もある。【００３７】  尚、図３（第一の実施例３）の場合には、第二シート６−１に垂直方向に、図４の円筒８のような筒状手段を設ける（図示せず）ことも可能である。その形態は、図４の円筒８と同様である。又、形状は、円筒ではなく、四角や五角など他の筒状手段でもよい。【００３８】  次に第一の実施例４を適用したフェイスガード装着例を図５に示す。フェイスガード９は、実施例４（図４）を組み立て、人が装着できるように製作されている。同図においてフェイスガード装着者の口近傍にフェイスシート１の開口部２、第一シート３、第二シート６と円筒８が位置するように構成されており、装着者の飛沫や外部からの飛沫を防止することができ、且つ装着者の音声もフェイスガード９の前方に伝達され、会話やコミュニケーションが容易となる。【００３９】  尚、図１から図４では、フェイスシート１の開口部２は円形であるが、四角形、長方形など他の形状でも良く、又１個ではなく複数個でも差し支えない。
【実施例２】
【００４０】  次に第二の実施例１を、図６の正面図及び側面図を参照しながら説明する。同図において開口部２を有するフェイスシート１の外部に、スペーサ１０による所定間隔を確保した第一シート１１が配置されている。第一シート１１は、開口部２の形状（円形）と投影面上で互いに重ならない形状の開口部１２（開口部２の同心円状の例）を有しており、スペーサ１０は、フェイスシート１と第一シート１１との所定間隔（例えば４ｍｍ程度）を確保すると共に、開口部２及び開口部１２を囲んでおり、外部との空間を遮断している。尚、開口部２と開口部１２の重ならない幅は、例えば前記所定間隔である４ｍｍ以上が望ましい。【００４１】  次に第二の実施例１の形態を詳細に説明する。図６の側面図における右側が、装着者などの顔が面する側であり、口近傍の開口部２に装着者の音声が飛沫と共に侵入する。飛沫は、開口部２の正面にある第一シート１１に衝突して付着し、音声は、フェイスシート１と第一シート１１との所定間隔の隙間空間を介して、第一シート１１の開口部１２からフェイスシート１の外部（図６の側面図における左側）に到達する。従って外部にいる人との会話やコミュニケーションが容易となるのである。【００４２】  一方、外部にいる人が発する飛沫は、フェイスシート１及び第一シート１１の表面に衝突し、一部は開口部１２に侵入するが、フェイスシート１に衝突して装着者に到達することはなく、装着者の顔を飛沫から守ることができるのである。又、外部からの飛沫は、フェイスシート１と第一シート１１の空間がスペーサ１０により外部と遮断されているのでフェイスシート１と第一シート１１の隙間から侵入することはない。【００４３】  尚、図６の正面図からわかるように、開口部２と開口部１２とは重ならない配置となっており、結果的にフェイスシート１の面への第一シート１１の投影面が、フェイスシート１の開口部２を包含している構造となっている。【００４４】  次に第二の実施例２を、図７の正面図及び側面図を参照しながら説明する。同図において図６と異なる手段は、複数の四角形から成る開口部１３を有する基本のフェイスシート１４と、開口部１３の四角形とは投影上重ならない四角形の開口部１５を有する第一シート１６をフェイスシート１４の外部に設けていることである。尚、開口部１３と開口部１５の重ならない幅は、例えば前記所定間隔である４ｍｍ以上が望ましい。【００４５】  次に第二の実施例２の形態を詳細に説明する。図７の側面図における右側が、装着者などの顔が面する側であり、口近傍の開口部１３に、装着者の音声が飛沫と共に侵入する。飛沫は、開口部１３の正面にある第一シート１６の正面に衝突して付着し、音声は、フェイスシート１４と第一シート１６との所定間隔の隙間空間を介して、第一シート１６の開口部１５から外部（図７の側面図における左側）に到達する。従って外部にいる人との会話やコミュニケーションが容易になるのである。【００４６】  一方、外部にいる人が発する飛沫は、フェイスシート１４及び第一シート１６の外側の面（図７の側面図における左側）に衝突し、一部は開口部１５に侵入するが、フェイスシート１４に衝突して装着者に到達することはなく、装着者の顔を飛���から守ることができるのである。又、外部からの飛沫は、フェイスシート１４と第一シート１６の空間がスペーサ１０により外部と遮断されているのでフェイスシート１４と第一シート１６の隙間空間から侵入することはない。【００４７】  尚、図７の正面図からわかるようにフェイスシート１４の面への第一シート１６の投影面は、フェイスシート１４の開口部１３を包含している構造となっている。【００４８】  次に第二の実施例３を、図８の正面図及び側面図を参照しながら説明する。同図において図７と異なる手段は、複数の円形から成る開口部１７を有する基本のフェイスシート１８と、同じく複数の円形の開口部１９を有する第一シート２０とを設けていることである。【００４９】  第二の実施例３の形態については、第二の実施例２の図７における開口部１３と開口部１５が四角形なのに対して、図８の開口部１７と開口部１９が円形であることであり、その形態は、第二の実施例２と同様である（詳細記載せず）。【００５０】  従って、フェイスシートの開口部と第一シートの開口部は、互いに投影上重ならない形状であれば、星形、長方形など他のの形状でも同様の効果を得ることができる。【００５１】  次に第二の実施例４を、図９の正面図及び側面図を参照しながら説明する。同図において図７と異なる手段は、開口部２１を有する第二シート２２及びスペーサ２３であり、第一シート１６の外部に所定間隔にて設置されている。そして開口部２１は、第一シート１６の開口部１５と投影上重ならないような形状となっており、結果的にはフェイスシート１４の開口部１３と同一形状となっている。【００５２】  次に第二の実施例４の形態を詳細に説明する。図９の側面図における右側が、装着者などの顔が面する側であり、フェイスシート１４における口近傍の開口部１３に、装着者の音声が飛沫と共に侵入する。大粒の飛沫は、開口部１３の正面にある第一シート１６に衝突して付着し、細かい飛沫が、第一シート１６の開口部１５を通過したとしても、更に第二シート２２に衝突して付着するので、より高い飛沫防止効果が得られる。【００５３】  又、音声は、フェイスシート１４の開口部１３、第一シート１６の開口部１５と第二シート２２の開口部２１を介して、外部に（図９の側面図における左側）到達する。従って外部にいる人との会話やコミュニケーションが容易になるのである。【００５４】  一方、外部にいる人が発する飛沫は、フェイスシート１４の表面（図９の側面図における左側）及び第二シート２２に衝突し、一部の飛沫は、開口部２１に侵入する。開口部２１に侵入した飛沫は、第一シート１６に衝突して付着し、細かい飛沫が、第一シート１６の開口部１５に侵入したとしても、フェイスシート１４に衝突して付着するので、装着者に到達することはなく、装着者の顔をより飛沫から守ることができるのである。【００５５】  第二の実施例４（図９）は、図７に対して飛沫感染防止効果を高めた構造である。尚、スペーサ１０とスペーサ２２による所定間隔は、同一である必然性はない。【００５６】  次に第二の実施例１又は２又は３又は４を使用したフェイスガード装着例を図１０に示す。フェイスガード２４は、第二の実施例１又は２又は３又は４（図６��は図７又は図８又は図９）を組み立て、人が装着できるように製作されている。同図においてフェイスガード装着者の口近傍に、フェイスシート１又は１４又は１８の開口部２又は１３又は１７、及び第一シート１１又は１６又は２０又は第二シート２２が位置するように構成されており、装着者の飛沫や外部からの飛沫を防止することができ、且つ装着者の音声もフェイスガード２４の前方に伝達され、会話やコミュニケーションも容易となる。【００５７】  ここで、第一の実施例（図１〜図４）と第二の実施例（図６〜図９）の形態の違いを総括する。第一の実施例では、装着者の音声が、フェイスシートの開口部を経由してスペーサによる所定間隔の隙間空間から外部に到達するのに対して、第二の実施例では、装着者の音声が、フェイスシートの開口部を経由し第一シート又は第二シートが有する開口部を介して外部に到達することである。又第一の実施例は、開口部の無い第一シートを少なくとも一枚使用して、飛沫を遮断しているのに対して、第二の実施例では、第一シート及び第二シートは全て開口部を有しており、フェイスシート及び第一シート及び第二シートの隣り合う各開口部の位置が重ならないようにすることにより飛沫を遮断している。
【実施例３】
【００５８】  次に第三の実施例１を、図１１の正面図及び側面図を参照しながら説明する。同図において図４と異なる手段は、円筒８に、遠方ほど径の大きくなる円すい形のラッパ型手段２５を備えたことである。これによって装着者の発する音声は、開口部２と開口部５を介して円筒８の内側に伝達されてラッパ型手段２５により拡大される。従ってより会話やコミュニケーションが容易なフェイスガードやフェイスシールドを提供できるようになるのである。
又、同図において、飛沫感染防止の効果は、図４と同様であることは明白である。【００５９】  尚、ラッパ型手段２５は、円筒８の効果をより大きくする作用があり、円筒８以外にフェイスシート１に直接取付けても良い（図示せず）。この場合、ラッパ型手段２５の高さは、第一シート３の高さ以上が望ましい。又ラッパ型手段２５は、円すい形ではなく、その他の形状でも良い。【００６０】  次に第三の実施例２を、図１２の正面図及び側面図を参照しながら説明する。同図において図７と異なる手段は、第一シート１６の開口部１５を囲むように遠方ほど径の大きくなる四角すい形のラッパ型手段２６を備えたことである。これによって装着者の発する音声は、フェイスシート１４の開口部１３と第一シート１６の開口部１５を介して外部に伝達されてラッパ型手段２６により拡大される。従ってより会話やコミュニケーションが容易なフェイスガードやフェイスシールドを提供できるようになるのである。又、同図において、飛沫感染防止の効果は、図７と同様であることは明白である。【００６１】  尚、ラッパ型手段２６は、音声を拡大する効果を有し、第一シート１６以外にフェイスシート１４に取付けても良く、ラッパ型手段２６は、四角すい形ではなく、円すい形やその他の形状でも良い。
【実施例４】
【００６２】  次に第四の実施例を、図１３の正面図及び側面図を参照しながら説明する。同図では、図８における開口部１９を有する第一シート２０を、人と人との空間を仕切るアクリル板などから成る、透明なパーティションシート２７に取付けた例である。パーティションシート２７は、開口部２８を有し、人と人との会話やコミュニケーションが想定される口近傍付近に、第一シート２０及びスペーサ１０が配置されている。【００６３】  図１３おいて、人と人が互いにパーティションシート２７を境に会話やコミュニケーションを行う時に、飛沫感染防止が行いながら音声の伝達経路を確保する形態は、図８と同様である（詳細記載せず）。【００６４】  尚、図１３におけるパーティションシート２７の側面図の右側にもう一組、第一シート２０とスペーサ１０を設置可能であり、又第一の実施例、他の第二の実施例、第三の実施例を適用してもよいことは明白である（図示せず）。更に口近傍だけでなく、開口部の範囲を広くすることも何ら差し支えない（図示せず）。
【符号の説明】
【００６５】  １  フェイスシート
２  フェイスシート１の開口部
３  第一シート
３−１  第一シート
４  スペーサ
５  第二シート６の開口部
５−１  第二シート６―１の開口部
６  第二シート
６−１  第二シート
７  スペーサ
８  円筒
９  フェイスガード
１０  スペーサ
１１  第一シート
１２  第一シート１の開口部
１３  フェイスシート１４の開口部
１４  フェイスシート
１５  第一シート１６の開口部
１６  第一シート
１７  フェイスシート１８の開口部
１８  フェイスシート
１９  フェイスシート２０の開口部
２０  フェイスシート
２１  第二シート２２の開口部
２２  第二シート
２３  スペーサ
２４  フェイスガード
２５  ラッパ型手段
２６  ラッパ型手段
２７  パーティションシート
２８  パーティションシート２７の開口部
【図１】
0003232280.tif 000003
【図２】
0003232280.tif 000004
【図３】
0003232280.tif 000005
【図４】
0003232280.tif 000006
【図５】
0003232280.tif 000007
【図６】
0003232280.tif 000008
【図７】
0003232280.tif 000009
【図８】
0003232280.tif 000010
【図９】
0003232280.tif 000011
【図１０】
0003232280.tif 000012
【図１１】
0003232280.tif 000013
【図１２】
0003232280.tif 000014
【図１３】
0003232280.tif 000015